(57)【要約】改良された子供用の食器。この器は、その上に１つまたはそれ以上の蓋を有する皿または椀等の電子レンジ加熱が可能な容器である。容器は、器が電子レンジで加熱される間、圧力を容器から解放するための孔などの圧力解放開口部を含む。圧力が所与のレベルに達すると圧力を解放する自動的な孔と、親が開け閉めする手動の孔とが提供される。好ましくは、容器は軟質の構成要素および硬質の構成要素の複合材料である。
2004513685.tif 000002
【特許請求の範囲】
【請求項１】
子供用の食器であって、
容器を含み、前記容器は圧力解放開口部を含む、食器。
【請求項２】
電子レンジ加熱が可能な構成要素で構成される、請求項１に記載の食器。
【請求項３】
前記圧力解放開口部は自動的な孔である、請求項１に記載の食器。
【請求項４】
前記圧力解放開口部は手動の孔である、請求項１に記載の食器。
【請求項５】
前記圧力解放開口部は可撓性材料からなり、前記可撓性材料はスリットを含む、請求項１に記載の食器。
【請求項６】
取手を含み、前記圧力解放開口部は前記取手に位置する、請求項１に記載の食器。
【請求項７】
蓋と取手とをさらに含む、請求項１に記載の食器。
【請求項８】
前記圧力解放開口部は少なくとも２つのチャネルを含み、前記圧力解放開口部は、前記チャネルが重なる開いた位置、および前記チャネルが重ならない閉じた位置を有する、請求項１に記載の食器。
【請求項９】
蓋および取手を含み、前記２つのチャネルは前記蓋におけるチャネルと、前記取手におけるチャネルとを含む、請求項８に記載の食器。
【請求項１０】
前記自動的な孔は、予め定められた圧力レベルで開き、前記予め定められた圧力レベルより下で閉じる、請求項３に記載の食器。
【請求項１１】
皿である、請求項１に記載の食器。
【請求項１２】
椀である、請求項１に記載の食器。
【請求項１３】
蓋を含む、請求項１に記載の食器。
【請求項１４】
前記椀はドーム形の蓋を有する、請求項１２に記載の食器。
【請求項１５】
前記蓋はスナップオンの蓋である、請求項１３に記載の食器。
【請求項１６】
前記食器は蓋を含み、前記圧力解放開口部は前記蓋における孔である、請求項１に記載の食器。
【請求項１７】
区画を含む、請求項１に記載の食器。
【請求項１８】
前記区画の各々は蓋を有する、請求項１７に記載の食器。
【請求項１９】
前記区画の各々は少なくとも１つの前記圧力解放開口部を含む、請求項１７に記載の食器。
【請求項２０】
前記区画の各々は蓋を有する、請求項１７に記載の食器。
【請求項２１】
前記区画の各々に対する蓋を含み、前記蓋の各々は少なくとも１つの前記圧力解放開口部を含む、請求項１７に記載の食器。
【請求項２２】
軟質の構成要素および硬質の構成要素で構成される、請求項１に記載の食器。
【請求項２３】
軟質のつかみ取手を含む、請求項１に記載の食器。
【請求項２４】
軟質の、滑り防止基部を含む、請求項１に記載の食器。
【請求項２５】
前記軟質の構成要素は、クラトン、シリコーンおよびＴＰＥからなる群から選択される、請求項２２に記載の食器。
【請求項２６】
硬質の構成要素は硬質のプラスチックを含む、請求項２２に記載の食器。
【請求項２７】
前記圧力解放開口部を含む取手を含み、前記取手は固定機構を有する、請求項１に記載の食器。
【請求項２８】
取手を含む蓋を含み、前記取手は突起を含み、前記蓋は窪みを、前記突起が固定機構として前記窪みに延在するように含む、請求項１に記載の食器。
【発明の詳細な説明】
【０００１】
【関連出願】
この出願は、この明細書中に引用により十分に援用される、２０００年９月２５日に出願の米国仮出願シリアル番号第６０／２３５，０７２号の優先権を主張する。
【０００２】
【発明の分野】
この発明は、食事用の皿および椀等の改良された子供用の食器に向けられる。
【０００３】
【発明の背景】
親が小さな子供のために食べ物を温めたいと思うことは多い。これに対する便利な１つの方法は、食べ物を食器に載せ電子レンジで加熱することである。しかしながら、覆いなしに食べ物を加熱した場合、食べ物が（および／または皿の中のどのような液体も）飛び散り、電子レンジの内部を汚すおそれがある。
【０００４】
ある代替例では、飛び散るという問題を防止するために、蓋で皿を部分的にのみ覆って食べ物を加熱する。しかし、これも完全に満足できる方法ではない。この方法を用いると加熱がいくらか不十分となり、また蓋と皿との間の隙間のせいで、依然としていくらか飛び散るおそれがある。
【０００５】
さらに、覆いを皿にしっかりと取付けることもまた、比較的望ましいことではない。蒸気および熱が、加熱の間、皿の内部で高まるおそれがある。親が覆いを取外すと、この蒸気および熱が急速に解放されることがある。親が不注意であったり、子供がすぐ近くにいたりする場合、覆いを取外したとき、子供が熱および蒸気の急速な放出にさらされるおそれがある。
【０００６】
したがって、電子レンジで急速にかつ比較的効率的に加熱できる一方で飛び散るのを防ぎ、かつ、覆いを取外したとき子供が火傷する危険を減らすかまたはなくす、改良された食器が当該技術において必要とされている。
【０００７】
【発明の概要】
この発明の目的は、改良された子供用の食器および容器を提供することである。
【０００８】
さらなる目的は、飛び散らすことなく効率的に電子レンジ加熱できる、改良された子供用の食器を提供することである。
【０００９】
さらなる目的は、覆いを取外したとき、蒸気または熱が子供の顔に放出される危険を減らす、改良された子供用の食器を提供することである。
【００１０】
この発明のさらなる目的は、この明細書中に提供される開示と関連して明らかとなるであろう。
【００１１】
この発明は、皿または椀等の容器の形の、改良された子供用の食器に向けられる。容器は、蒸気または他の熱等の圧力を、加熱の間、容器から解放することのできる構成要素を有する。
【００１２】
好ましい実施例では、容器は孔等の圧力解放開口部を含み、電子レンジ加熱されるのに（および／またはオーブンで加熱されるのに）適した構成要素で構成される。一実施例では、孔は、圧力が所与のレベルに達すると、圧力を容器から自動的に解放する。さらなる実施例では、圧力孔を、親が開けたり閉じたりすることができる。この選択的な開け閉めにより、親は所望のとおり圧力解放を制御することができる。たとえば、親は、食べ物を電子レンジ加熱する間、孔を開けたままにしてもよく、これにより、加熱処理の間、圧力および蒸気を皿から解放できる。食べ物を調理した後、孔を閉じて容器内の食べ物を保温することもできる。
【００１３】
さらなる好ましい実施例では、皿および椀は、軟質の構成要素および硬質の構成要素の複合材料である。たとえば、クラトン、シリコーン、ＴＰＥ、または他の可撓性材料を軟質の構成要素として用いてもよく、ポリプロピレンまたは他の硬質の材料または硬質のプラスチックを硬質の構成要素として用いてもよい。
【００１４】
容器はまた、好ましくは、直接そこから食事を取ることにも適している。これら容器を直接、その中身を加熱するために電子レンジに入れてもよく、冷蔵庫で食べ物を保存するために、または外出の際に用いてもよい。
【００１５】
【発明および好ましい実施例の詳細な説明】
この発明に従って、食事用容器が、図１に示されるように幼児の食事用に提供される。食事用トレイ１０の底部分は皿２０である。皿２０は、通常の皿、または組合せ式の皿、すなわち複数の区画を備えた皿であってもよい。一実施例では、図示のとおり、皿２０は３つの区画を含む。しかしながら、いかなる所望の寸法の、いかなる数の区画も、この発明に合せて提供され得る。
【００１６】
皿２０は１つまたはそれ以上の蓋で覆われる。好ましい実施例では、図示のとおり、別個の蓋が各々の区画に対して与えられる。図１（ａ）に示されるように、大きなスナップオンの蓋２２ならびに小さなスナップオンの蓋２４および２６を用いて、皿の個々の区画を覆う。いかなる寸法の構成が提供されてもよい。好ましくは、蓋は、所望の場合２つ以上の区画に対して設けられてもよいが、１つの蓋が各区画ごとに設けられてもよい。たとえば、単一の蓋を用いて皿の区画すべてを一度に覆ってもよく、または２つの蓋（大きな区画に対して１つ、次いで２つのより小さな区画に対して第２の蓋）を設けたりなどしてもよい。
【００１７】
複数の蓋を用いることにより、親は、蓋をその１つの区画から取外すことにより、他の蓋を取付けたままで各個々の区画から子供に食事を与えることができる。このようにして、子供にその１つの区画から食事を与えている間、他の区画に取付けられている蓋が、それらの他の区画の中の食べ物を保温する。加えて、子供が皿を引っくり返した場合、他の蓋が皿に取付けられたままなので、単一の区画からしかこぼれないようにして食べ物の無駄を最小限にする。好ましくは、蓋はスナップオンの蓋であり、タブ２８が、蓋を皿から引張り外すために各蓋に備えられる。
【００１８】
この発明に従って、容器はまた、そこに１つまたはそれ以上の圧力解放孔を有する。好ましい実施例では、皿の蓋の各々（または区画の各々）は圧力孔を有する。１つのこのような圧力孔５０が図１および図２に示されるが、他の所望の孔がいずれも同様に用いられてもよい。
【００１９】
圧力孔５０が、蓋をトレイに取付けたまま皿を電子レンジで安全に温めることができるよう設けられる。この孔により、容器が電子レンジ内で破裂するのを防ぎ、蓋を取外したとき過剰な圧力が子供（または親）の顔に放出されるのを防ぐ。（圧力が所与のレベルにまで高まるとこれを解放する）自動的な孔を用いてもよく、または（親が開け閉めする）手動の孔を用いてもよい。図１および図２に示される孔５０は自動的な孔の一例である。図３〜図５に示される、蓋取手１００の孔９０は手動の孔の一例である。この孔は容器のどこに位置してもよい。好ましくは、この孔は、隅、端縁、または他の所望のどの位置であろうと、蓋の上に位置する。
【００２０】
自動的な孔の好ましい一実施例においては、孔５０は、図２（ａ）〜図２（ｅ）に示されるように、蓋２２、２４および２６の各々の上にスナップ嵌めにされるリング４４からなる。たとえば、図２（ｂ）に示されるように、下部のガスケットまたはソフトシール５４（たとえば、ＴＰＥ）等の第１の構成要素が、蓋にある穴に差込まれるか、または蓋の一部として成形される。弾性膜４０がガスケットまたはシール５４の上に配置される。リング４４が次いで、ガスケット５４および膜４０の上にスナップ嵌めにされるか、そうでない場合、これらに接着され、膜４０をリング４４とガスケット５４との間に挟む。
【００２１】
図２（ｄ）〜図２（ｅ）に示される上面図を特に参照し、弾性膜４０は可撓性材料の円形のシートからなる。この可撓性材料または膜４０にはそこを通るスリット４２がある。通常、スリット４２は閉じており、すなわち、スリットの端縁が互いに押し合い、このため、図２（ｄ）に示されるように、孔が閉じた位置にある。容器内で、すなわち図２（ｄ）〜図２（ｅ）に示される膜の下で圧力が増すと、圧力が膜を外向きに（容器から離れるように）押すかまたは曲げる。膜の端縁はリングによって固定されており、このためその中央が上方向に曲がり、図２（ｅ）に示されるようにスリット４２を開かせる。スリット４２が開くと、圧力が容器から解放される。
【００２２】
圧力が容器から解放されると、膜は図２（ｄ）に示されるように、もとの閉じた位置に戻る。（圧力は、解放されたので、もはや孔を開くのに十分に膜を外方向に押すほど十分に高くない。）このようにして、孔５０は、圧力が十分に上がると自動的に開いて圧力を解放し、圧力が十分に下がると自動的に孔自体を閉じる。
【００２３】
要約すれば、食べ物の皿を電子レンジで加熱すると、圧力が、この発明の容器の区画の各々において増す。容器またはその一部分における圧力が予め定められたレベルにまで増すと、圧力が蓋の孔を介して解放される。圧力が増すと、膜が上方向に曲がり、スリットを延ばして開く。スリットがこのように開くことにより、その下で蓄積されたいかなる圧力も解放される。このようにして、当該皿は、密閉された食べ物用のトレイをあまりにも長く電子レンジ加熱したときに起こりうるように、破裂することはない。
【００２４】
さまざまな形状の膜をこの発明に合せて用いてもよい。たとえば、一実施例では、膜は凹面であり、スリットの端縁を互いに押し合い、図２（ｂ）の構成４６に示されるようにスリットを閉じる。この膜は上述のようにリングの内側にある。しかしながら、非凹面膜を同様に用いてもよく、内側のリング４４は、所望の場合、リングが非円形である、円筒以外の形状であってもよい。
【００２５】
同様に、他の任意の自動的な孔構成をまた、この発明に合せて用いてもよく、図２の構成は単なる好ましい一実施例としてのみ示される。圧力の変化に反応する孔のうち他のいくつかの例が、１９９８年８月２１日に出願のＰＣＴ出願シリアル番号ＰＣＴ／ＵＳ９８／１７３７９（国際公開番号ＷＯ９９／０８５７８）、および１９９９年８月２０日に出願のＰＣＴ出願シリアル番号ＰＣＴ／ＵＳ９９／１９２３８（国際公開番号ＷＯ００／１０４３４）に示され、この両方とも引用によりこの明細書中に援用される。
【００２６】
さらに、手動の孔構成をまた用いてもよい。たとえば、穴が、その穴を覆う小さなスナップオンのカバーを備えた容器の蓋に設けられてもよい（このカバーは蓋に取付けられるか、または蓋とは別個である）。親は、（食べ物を電子レンジ加熱する前または後に）圧力を解放するために小さなカバーを穴から取外し、区画が排気されると小さなカバーをもとに戻す。このカバーを、取外したときに紛失しないように、ストラップにより蓋に取付けてもよい。この代わりに、回転する手動の孔を、図３〜図５に示されるように設けてもよい。
【００２７】
同様に、他の多くの自動的および手動の孔が当該技術においては公知であり、現在の容器と用いられ得る。
【００２８】
この発明の好ましい実施例に従って（図２および図５の孔と同様に）、蓋は、過剰な圧力が排出される間、皿に取付けられたままである。このように、破裂はなくなるが、蓋は、加熱の間およびその後、トレイに常に付けられている。これにより加熱処理を促進し、親が蓋をトレイから取外すまで食べ物の保温を助ける。さらに、蓋が区画に付いているので、食べ物または液体が容器の外に飛び散らず、電子レンジ内を汚すこともない。さらに、過剰な圧力が解放されると、弾性膜が閉じた位置に戻り、容器からの熱の損失を防ぐ。
【００２９】
この発明の好ましい実施例に従ってさらに、食器は、図示のとおり、比較的軟質の構成要素および比較的硬質の構成要素の両方を含む。たとえば、軟質のつかみ取手３０が、図１〜図４に示されるように、硬質の取手上の皿の上部に設けられる。これらの軟質の取手は硬質のプラスチックよりもより良いつかみ面を提供し、好ましくは、取手をつかむ際にさらに助けとなる、突起のある（または窪みのある）隆起または畝３２をも有する。柔らかい材料の細長い一片が、任意の所望の手段により取手に取付けられてもよい。たとえば、これは接着剤で接着されてもよく、または軟質の材料が取手の上部上に成形され、取手の中に（または硬質の取手の断面を通って）突き出たりなどしてもよい。
【００３０】
さらなるまたは代替的な実施例においては、軟質の滑り止めまたは滑り防止基部３６が、図４に示されるように、テーブル面にわたり皿が滑るのを防ぐために、容器の硬質の底に設けられる。この発明のすべての食事用容器は、好ましくはこのような２つの構成要素の基部を含む。容器の底は硬質の材料（たとえば、ポリプロピレン）で構成されるが、好ましくは基部（好ましくは、クラトン等の軟質の材料）に挿入される滑り止め構成要素を有する。たとえば、１つまたはそれ以上の軟質のリング３４が、図１（ｃ）、図２（ｃ）および図３（ｃ）に示されるように、硬質の基部に設けられてもよい。これらのリングにより、食事用容器がテーブルの表面または乳幼児の食事用椅子等の他の表面の上で滑るのを防ぐ。このリングは均一であっても、スカラップ形の端縁等を有してもよい。これらの軟質のリング３４はまた、接着剤によって、成形によって、または他の任意の所望の手段によって、上述の軟質の取手と同様に取付けられてもよい。
【００３１】
取手の上部および基部の底は好ましくは軟質であるが、この発明の他の構成要素（たとえば、皿）は好ましくはより硬質の材料でできており、食べ物の小片をそこから取除くのを容易にする。好ましい一実施例では、より軟質の構成要素はクラトンでできており、より硬質の構成要素はポリプロピレンでできている。他の実施例では、この発明にすべて合せて、シリコーン、ＴＰＥ等の他の軟質の構成要素を用いてもよく、他の硬質のプラスチック等の他の硬質の構成要素を用いてもよい。
【００３２】
この発明のさらなる実施例では、食事用椀が図３から図５に示されるように提供される。食事用椀８０は椀８２およびドーム形の蓋８４を含む。食事用椀の構成は、上述の食事用皿の構成と類似しており、同様にそこに圧力弁を含む。
【００３３】
食事用椀の好ましい実施例では、しかしながら、圧力弁は、図３から図５にも示されるように、蓋取手に組込まれる。トレイが電子レンジに入れられると、取手が変化して椀の蓋にある孔を開け、圧力が、加熱の間椀から漏れ出ることを可能にする。椀が電子レンジから取出されると、取手が変化して孔を閉じ、容器内の熱を保つ。皿に対しては、スリットを備えた自動的な圧力弁が好ましいが、ドーム形の蓋椀に対しては、取手における手動の孔が好ましく、当然、孔がどちらも、どちらの実施例でも利用され得ることが理解される。
【００３４】
図５に示されるように、食事用椀の好ましい実施例では、手動の孔は蓋取手１００に位置する。蓋取手１００はシリンダ１０６に取付けられたノブ１０２を含む。シリンダ１０６はそこに、窪んだチャネル１０８を含む。
【００３５】
図３に示されるように、食事用椀の蓋は、蓋の上部に嵌入片または取手ホルダ１１８を含む。嵌入片または取手ホルダ１１８は（好ましくは円筒形であり）、容器の蓋から延びた延在部であり、そこに差込まれるべき蓋取手のために設けられる。好ましくは、蓋から延びたこの延在部または嵌入片１１８は、単一の部品として蓋と一体的に成形される。言換えれば、蓋の上部は窪み１１６を有し、この窪み１１６より高くなったところが取手ホルダ、延在部または嵌入部１１８である。窪み１１６は、取手と蓋８４との間で、取手を回す親の指のために、蓋取手１００のまわりに空間を提供する。しかしながら、窪み１１６から延びて高くなる代わりに、嵌入部１１８もまた、蓋８４の平坦な上部、または椀のための平坦な蓋から延びて高くなっていてもよい。
【００３６】
図５（ａ）〜図５（ｄ）に示されるように、蓋取手１００のシリンダ１０６が蓋８４の円筒形の嵌入片１１８に差込まれる。円筒形の嵌入部１１８は蓋チャネルまたは切欠き１２０を含む。図５（ｂ）および図５（ｆ）に示される蓋チャネルまたは切欠き１２０の形状は、円筒形の嵌入片１１８の長方形の（または台形の）部分がシリンダの高さの一部分に沿ってその周囲を通るように、長手方向に切取られ、嵌入部１１８から取除かれた後の形状である。言換えれば、材料の細長い一片がシリンダの片側から取除かれて、図５（ｂ）および図５（ｆ）に示される蓋チャネルまたは切欠き１２０を形成する。この細長い片を取除くことにより、円筒形の嵌入部１１８に、フォークの２つのとがった爪の間にあるような空間が形成される。当然、この記載は単に例示のためだけに提供されるものであり、嵌入部１１８の一部分が、切欠きまたはチャネル１２０を設けるために実際に切取られる必要はない。というのも、嵌入部１１８が、もともとこの形状に単に成形により形成されてもよいからである。同様に、他のいかなる形状のチャネルもまた、この発明に合せて提供され得る。
【００３７】
蓋チャネルまたは切欠き１２０は、円筒形の嵌入片１１８の上部から、その嵌入片の長さのある部分にまで延在する。対応する切欠きまたはチャネルが蓋取手１００に設けられる。この対応する切欠きは図５（ａ）に示される取手チャネル１０８である。上部から底部に延在する蓋チャネル１２０と対照的に、取手チャネル１０８は底部から上部に延在する。言換えれば、取手チャネル１０８は、蓋取手の底部から取手１００のシリンダ１０６の長さのある部分にまで延在する。（この代わりに、チャネル１０８およびチャネル１２０のこれらの構成が逆であってもよい。）
蓋取手１００を嵌入部１１８に差込んだ後、蓋取手１００を、ノブ１０２を回転させることにより円筒形の嵌入部１１８内で回転させることができる。
【００３８】
開いた位置まで回転させると、蓋取手１００のチャネル１０８が蓋の円筒形の嵌入部１１８のチャネル１２０と重なる。結果として、図５（ｃ）の正面図および図５（ｇ）の断面図に示されるように、空気が容器から流れ、シリンダ１０６の底部へ入り、チャネル１０８へ入り、チャネル１２０を介して出て、椀から出ていくことができる。
【００３９】
閉じた位置に回転させると、蓋取手１００のチャネル１０８が円筒形の嵌入部１１８の中実の部分、すなわち図５（ｈ）に示される円周上の中実のセクション１３０と重なる。結果として、チャネル１０８を通って流れる空気が嵌入片１１８の円周上のセクション１３０によって遮られる。セクション１３０は円周に沿った任意の中実のセクション、すなわち切欠き１２０以外の任意のセクションである。セクション１３０は、その長さの大半にわたってチャネル１０８を覆い、チャネル１０８の上部部分を密閉するので、空気が椀から流れ出ることがないようにチャネル１０８を遮断する。この閉じた孔構成が、図５（ｄ）の正面図、図５（ｈ）の断面図、および図５（ｉ）の背面図に示される。これらの図はチャネル１２０から１８０度ずれた状態のチャネル１０８を示すが、チャネル１０８が、当然、より少ない回転でもずれた状態であり得、また、チャネル１０８がチャネル１２０と重ならない限り、またはチャネル１０８の上部が覆われている限り、チャネル１０８が閉じられることも理解されるだろう。
【００４０】
要約すれば、蓋はチャネル（切欠き１２０）を含み、蓋取手は対応するチャネル１０８を含む。取手を、２つのチャネルが重なるよう回転させて、圧力を容器内部から解放することができる。または、取手を２つのチャネルが重ならないよう回転させて、圧力および熱を容器内に保つことができる。
【００４１】
さらなる実施例では、図５（ｊ）に示されるように、「固定」機構、すなわち孔が開いた位置にあろうと閉じた位置にあろうと所与の構成において取手をいくらかしっかりと保持するための機構が、取手に設けられる。図示のとおり、隆起または突起１４０が、好ましくは蓋取手１００から（たとえば、ノブ１０２から）突き出るよう設けられる。この隆起１４０を、嵌入部１１８の上部の窪み１５０または１５４の中へと回転させてもよい。窪み１５０と１５４との間の上部面１５２は、嵌入部１１８の中実のセクション１３０の上部面１５６よりも低い。結果として、隆起を窪み１５０と１５４との間で回転させることができるが、いずれの方向にもそれ以上回転させることはできない。
【００４２】
隆起１４０を窪み１５０の中へと回転させると、蓋取手は開いた孔の位置となる。隆起１４０を窪み１５４の中へと回転させると、蓋取手は閉じた孔の位置となる。例示の目的のために、開いた孔の位置と閉じた孔の位置とが１８０度未満の弧だけずれた状態の、窪み１５０と１５４との間の間隔が示されるが、より大きいまたはより小さい間隔および弧が所望のとおり用いられ得る。
【００４３】
平坦な蓋を備えた持ち運び用の椀（ａ ｔｒａｖｅｌ ｂｏｗｌ）を示すさらなる実施例が図６に示される。この実施例は上述の発明の実施例に類似している。椀１６０は、手動の孔１７０を有する平坦な蓋１６８を含む。手動の孔１７０は図２の孔５０と同様であり、膜１８０を含む。膜１８０は膜４０をわずかに変形した形状である。この膜は上述の他の容器に対して用いることができ、さらに好ましい実施例を反映するものである。孔５０と同様に、孔１７０は膜１８０にスリットを含む。容器内の圧力により膜１８０が広げられ、スリットを延ばして開き、蓄積された圧力を容器から解放する。
【００４４】
この発明は食器および椀の好ましい実施例に関して記載されてきたが、これらは他の食べ物の容器にも用いることができる。特定の実施例に関してこの発明を記載してきたが、さらなる実施例、変形および変更が当業者には明らかであるか想起され得るため、この記載を限定として意味するものではないことが理解されるべきである。この出願がこのような実施例、変形および変更をすべて包含することを意図する。
【図面の簡単な説明】
【図１】この発明に従った食事用容器の一連の図であり、（ａ）はその上面図であり、（ｂ）はその斜視図であり、（ｃ）は側面図である。
【図２】この発明に従った孔機構を示す、食事用容器のさらなる一連の図であり、（ａ）は食事用容器の上面図であり、（ｂ）は食事用容器における圧力孔を示す（ｃ）のセクション４８の断面図であり、（ｃ）は食事用容器の側面図であり、（ｄ）は、（ａ）〜（ｃ）における、スリットが閉じた位置にある孔の上面図であり、（ｅ）は、（ａ）〜（ｃ）における、スリットが開いた位置にある孔の上面図である。
【図３】蓋取手における孔機構を示す、この発明に従った食事用容器のさらなるまたは代替的な実施例の一連の図であり、（ａ）は食事用容器の上面図であり、（ｂ）は取手における圧力孔を示す食事用容器の断面図であり、（ｃ）はさらなる断面図である。
【図４】（ａ）および（ｂ）は図３の食事用容器の斜視図である。
【図５】以下のとおりに、蓋取手が、一体化された圧力孔を有する、この発明の一実施例の一連の図であり、（ａ）は、一体化された圧力孔を有する蓋取手の正面図であり、（ｂ）は、蓋取手のためのホルダとしての役割を果たす、容器の蓋の嵌入部、または容器の蓋から延びた延在部の正面図であり、（ｃ）は、取手および嵌入部の構成が開いた孔の位置にある、（ｂ）の嵌入部内に位置する（ａ）の取手の正面図であり、（ｄ）は、取手および嵌入部の構成が閉じた孔の位置にある、（ｂ）の嵌入部内に位置する（ａ）の取手の正面図であり、（ｅ）は（ａ）の蓋取手の底面図であり、（ｆ）は（ｂ）の嵌入部の上面図であり、（ｇ）は、アセンブリの底から見た、取手および嵌入部の構成が開いた孔の位置にあり、（ｂ）の嵌入部内に位置する（ａ）の取手の断面図であり、（ｈ）は、アセンブリの上部から見た、取手および嵌入部の構成が閉じた孔の位置にあり、（ｂ）の嵌入部内に位置する（ａ）の取手の断面図であり、（ｉ）は、取手および嵌入部が閉じた孔の位置にある、（ｄ）に示される構成の背面図であり、（ｊ）は、取手を（孔が開いた位置または閉じた位置にあろうと）所与の構成に固定するための固定機構を示す、取手および嵌入部の側面図である。
【図６】この発明のさらなる実施例である、平坦な蓋を備えた持ち運び用の椀の図であり、（ａ）は持ち運び用の椀の上面図であり、（ｂ）は（ａ）の椀の断面図であり、（ｃ）は（ａ）および（ｂ）の孔の拡大図である。
【図１】
2004513685.tif 000003
【図２】
2004513685.tif 000004
【図３】
2004513685.tif 000005
【図４】
2004513685.tif 000006
【図５】
2004513685.tif 000007
【図６】
2004513685.tif 000008
【国際公開パンフレット】
2004513685.tif 000009
2004513685.tif 000010
2004513685.tif 000011
2004513685.tif 000012
2004513685.tif 000013
2004513685.tif 000014
2004513685.tif 000015
2004513685.tif 000016
2004513685.tif 000017
2004513685.tif 000018
2004513685.tif 000019
2004513685.tif 000020
2004513685.tif 000021
2004513685.tif 000022
2004513685.tif 000023
2004513685.tif 000024
2004513685.tif 000025
2004513685.tif 000026
2004513685.tif 000027
2004513685.tif 000028
2004513685.tif 000029
2004513685.tif 000030
2004513685.tif 000031
2004513685.tif 000032
2004513685.tif 000033
【国際公開パンフレット（コレクトバージョン）】
2004513685.tif 000034
2004513685.tif 000035
【国際調査報告】
2004513685.tif 000036
2004513685.tif 000037